(57)【要約】      （修正有）【課題】所望のファイル・フォルダからいつでもＵＳＢアプリ等を開始できるようにするコンテンツ管理技術を提供する。【解決手段】ステップＳ１１において、ＵＳＢアプリを起動させると、ステップＳ１２において、デバイス選択情報管理ファイルのデバイス選択優先度を参照する。ステップＳ１３において、デバイス選択優先度が最も高いデバイスを選択する。ステップＳ１４において、選択したデバイスの、フォルダ情報管理ファイルのパスを参照する。ステップＳ１５において、フォルダ管理情報ファイルのファイル・フォルダ優先度が最も高いファイル・フォルダを選択し、ステップＳ１６において、ステップＳ１５で選択したファイル・フォルダ処理を終了する。上記の処理により、最後に選択していたファイル・フォルダを選択することができる。起動時までに優先度１のデバイスが外されていた場合には、優先度２のデバイスが選択される。【選択図】図６
2011081523.tif 000002
【特許請求の範囲】
【請求項１】
記録媒体を備える複数のデバイスと、前記複数のデバイスと接続され前記記憶媒体に格納されているコンテンツのファイル又はフォルダを参照可能な情報処理装置と、を有するシステムであって、
前記複数のデバイスのそれぞれには、デバイス毎に格納されている前記コンテンツのファイル又はフォルダのＩＤと、当該コンテンツのファイル又はフォルダへのパス情報と、当該コンテンツのファイル又はフォルダの選択優先度と、を有するフォルダ情報管理情報が格納されており、
前記情報処理装置は、前記複数のデバイスを識別する識別子と、前記フォルダ情報管理ファイル又はフォルダへのパス情報と、デバイスの選択優先度と、を有するデバイス選択情報管理情報が格納される記憶部と、前記デバイス選択情報管理ファイルと、前記フォルダ情報管理ファイルに対して情報の登録及び参照処理を行うフォルダ情報処理部と、が設けられていることを特徴とするコンテンツ管理システム。
【請求項２】
前記フォルダ処理部は、
前記コンテンツのアプリケーション終了操作が検出されると、前記デバイス選択情報管理情報を参照し、最後に参照していたデバイスにおけるデバイス優先度“１”を与え、他のデバイスのデバイス優先度を順次１ずつ下げ、最後に選択していたデバイスの前記フォルダ情報管理情報を参照し、最後に選択していたファイル・フォルダに優先度“１”を与え、他のファイル・フォルダの優先度を順次１ずつ下げる処理を行うことを特徴とする請求項１に記載のコンテンツ管理システム。
【請求項３】
前記フォルダ処理部は、
前記コンテンツのアプリケーションの再開操作が検出されると、前記デバイス選択情報管理情報を参照し、デバイス優先度“１”のデバイスの前記フォルダ情報管理情報を参照し、最後に選択していたファイル・フォルダの優先度“１”のファイル・フォルダに優先的にアクセスする処理を行うことを特徴とする請求項２に記載のコンテンツ管理システム。
【請求項４】
前記フォルダ処理部は、
前記コンテンツのアプリケーション終了操作が検出されると、前記デバイス選択情報管理情報を参照し、最後に参照していたデバイスに第１の優先フラグを付し、前記最後に選択していたデバイスの前記フォルダ情報管理情報を参照し、前記最後に選択していたファイル・フォルダに第２の優先フラグを付す処理を行うことを特徴とする請求項１に記載のコンテンツ管理システム。
【請求項５】
前記フォルダ処理部は、
前記コンテンツのアプリケーションの再開操作が検出されると、前記デバイス選択情報管理情報を参照し、前記第１の優先フラグの付されたデバイスの前記フォルダ情報管理情報を参照し、前記第２の優先フラグが付されたファイル・フォルダに優先的にアクセスする処理を行うことを特徴とする請求項４に記載のコンテンツ管理システム。
【請求項６】
前記記録媒体において、前記コンテンツは、ファイル又はフォルダのツリー構造を有していることを特徴とする請求項１から３までのいずれか１項に記載のコンテンツ管理システム。
【請求項７】
記録媒体を備える複数のデバイスと、前記複数のデバイスと接続され前記記憶媒体に格納されているコンテンツのファイル又はフォルダを参照可能な情報処理装置と、を有するシステムであって、前記複数のデバイスのそれぞれには、デバイス毎に格納されている前記コンテンツのファイル又はフォルダのＩＤと、当該コンテンツのファイル又はフォルダへのパス情報と、当該コンテンツのファイル又はフォルダの選択優先度と、を有するフォルダ情報管理情報が格納されているコンテンツ管理システムにおける情報処理装置であって、
前記複数のデバイスを識別する識別子と、前記フォルダ情報管理ファイル又はフォルダへのパス情報と、デバイスの選択優先度と、を有するデバイス選択情報管理情報が格納される記憶部と、前記デバイス選択情報管理ファイルと、前記フォルダ情報管理ファイルに対して情報の登録及び参照処理を行うフォルダ情報処理部と、が設けられていることを特徴とする情報処理装置。
【請求項８】
記録媒体を備える複数のデバイスと、前記複数のデバイスと接続され前記記憶媒体に格納されているコンテンツのファイル又はフォルダを参照可能な情報処理装置と、を有するシステムであって、
前記複数のデバイスのそれぞれには、デバイス毎に格納されている前記コンテンツのファイル又はフォルダのＩＤと、当該コンテンツのファイル又はフォルダへのパス情報と、当該コンテンツのファイル又はフォルダの選択優先度と、を有するフォルダ情報管理情報が格納されていることを特徴とするデバイス。
【請求項９】
記録媒体を備える複数のデバイスと、前記複数のデバイスと接続され前記記憶媒体に格納されているコンテンツのファイル又はフォルダを参照可能な情報処理装置と、を有するシステムにおけるコンテンツ管理方法であって、
前記複数のデバイスのそれぞれには、デバイス毎に格納されている前記コンテンツのファイル又はフォルダのＩＤと、当該コンテンツのファイル又はフォルダへのパス情報と、当該コンテンツのファイル又はフォルダの選択優先度と、を有するフォルダ情報管理情報が格納されており、前記情報処理装置は、前記複数のデバイスを識別する識別子と、前記フォルダ情報管理ファイル又はフォルダへのパス情報と、デバイスの選択優先度と、を有するデバイス選択情報管理情報が格納される記憶部と、前記デバイス選択情報管理ファイルと、前記フォルダ情報管理ファイルに対して情報の登録及び参照処理を行うフォルダ情報処理部と、が設けられおり、
前記コンテンツのアプリケーション終了操作が検出されると、前記デバイス選択情報管理情報を参照し、最後に参照していたデバイスにおけるデバイス優先度“１”を与え、他のデバイスのデバイス優先度を順次１ずつ下げ、最後に選択していたデバイスの前記フォルダ情報管理情報を参照し、最後に選択していたファイル・フォルダに優先度“１”を与え、他のファイル・フォルダの優先度を順次１ずつ下げる処理を行い、
前記コンテンツのアプリケーションの再開操作が検出されると、前記デバイス選択情報管理情報を参照し、デバイス優先度“１”のデバイスの前記フォルダ情報管理情報を参照し、最後に選択していたファイル・フォルダの優先度“１”のファイル・フォルダに優先的にアクセスする処理を行うことを特徴とするコンテンツ管理方法。
【請求項１０】
記録媒体を備える複数のデバイスと、前記複数のデバイスと接続され前記記憶媒体に格納されているコンテンツのファイル又はフォルダを参照可能な情報処理装置と、を有するシステムにおけるコンテンツ管理方法であって、
前記複数のデバイスのそれぞれには、デバイス毎に格納されている前記コンテンツのファイル又はフォルダのＩＤと、当該コンテンツのファイル又はフォルダへのパス情報と、当該コンテンツのファイル又はフォルダの選択優先度と、を有するフォルダ情報管理情報が格納されており、前記情報処理装置は、前記複数のデバイスを識別する識別子と、前記フォルダ情報管理ファイル又はフォルダへのパス情報と、デバイスの選択優先度と、を有するデバイス選択情報管理情報が格納される記憶部と、前記デバイス選択情報管理ファイルと、前記フォルダ情報管理ファイルに対して情報の登録及び参照処理を行うフォルダ情報処理部と、が設けられおり、
前記コンテンツのアプリケーション終了操作が検出されると、前記デバイス選択情報管理情報を参照し、最後に参照していたデバイスに第１の優先フラグを付し、前記最後に選択していたデバイスの前記フォルダ情報管理情報を参照し、前記最後に選択していたファイル・フォルダに第２の優先フラグを付し、
前記コンテンツのアプリケーションの再開操作が検出されると、前記デバイス選択情報管理情報を参照し、前記第１の優先フラグの付されたデバイスの前記フォルダ情報管理情報を参照し、前記第２の優先フラグが付されたファイル・フォルダに優先的にアクセスする処理を行い、
前記コンテンツのアプリケーションの再開操作が検出されると、前記デバイス選択情報管理情報を参照し、デバイス優先度“１”のデバイスの前記フォルダ情報管理情報を参照し、最後に選択していたファイル・フォルダの優先度“１”のファイル・フォルダに優先的にアクセスする処理を行うことを特徴とするコンテンツ管理方法。
【請求項１１】
請求項９又は１０に記載のコンテンツ管理方法をコンピュータに実行させるためのプログラム。
【発明の詳細な説明】
【技術分野】
【０００１】
本発明は、コンテンツの管理技術に関する。
【背景技術】
【０００２】
近年、フラッシュメモリの大容量化やＤＶＤ（Digital Versatile Disc）、ＢＤ（Blue Ray Disc）などの登場により、デジタルビデオカメラやデジタルスチルカメラならびに携帯電話などの比較的小型の情報処理装置（電子機器）における記録媒体の記憶容量が増大している。これにより、携帯用電子機器においても非常に多くの画像を記録することが可能となっている。
【０００３】
例えば、このような記録媒体の一例であるＵＳＢメモリを例にして説明すると、ＵＳＢメモリ内に記録されているコンテンツ、例えば画像データなどを表示させるためのアプリケーションであるＵＳＢアプリを起動させることで、画像データに基づく画像をディスプレイに表示させることができるようになっている。
【０００４】
このようなＵＳＢメモリ等を利用したＵＳＢアプリ等では、必ずルートのフォルダから参照が開始される。ところが、この場合、フォルダの階層が深くなると、ユーザーが所望のフォルダ（例えば閲覧したい画像データを格納したフォルダなど）にたどり着くまで何度もフォルダを選択していく操作が必要であり、操作がわずらわしいという問題がある。
【０００５】
特に、上記のように、ここ数年、ＵＳＢメモリ等の記憶容量が増え、ＵＳＢメモリ等に保存可能なファイル数も増加しているため、ユーザーが所望のフォルダを選択する操作をサポートする機能が必要となっている。また、ＵＳＢハブ等を利用して、複数のＵＳＢメモリ等を同時に挿すことが可能となっており、複数のＵＳＢデバイスに跨ったフォルダ選択をサポートする機能も必要になってくる。これらの課題に関連する従来特許として、下記特許文献１、特許文献２、および、特許文献３がある。
【０００６】
特許文献１に記載の、「画像表示制御装置および画像表示制御方法」は、データ保持部に保持された画像データを所定の画像グループに分けるとともに、各画像グループにおいて最後に表示された画像データの位置を画層リジュームポインタとしてリジュームポインタ保持部に記憶しておくものである。表示制御部は、ユーザーからの操作を操作入力部を介して受け、その操作内容に従って状態保持部における現在の表示状態を遷移させながら表示部に画像表示を行う。画像グループに跨る操作が行われた場合には、それまでの画像グループにおける画像データの位置をリジュームポインタ保持部に保持するとともに、新たな画像グループにおける画像データの位置をリジュームポインタ保持部から読み出すものである。
【０００７】
また、特許文献２「ユーザインタフェースシステム、ユーザインタフェース実現サーバ及びユーザユーザインタフェース方法」は、アドレス管理／データ判別部は、アドレス対応表に基づいて、ファイルやデータを格納する現実のフォルダを、バーチャルホーム画面上の場所に対応付けるものである。また、バーチャルホーム作成部は、アドレス管理／データ判別部が対応付けた場所に従って、バーチャル画面の画面情報を生成する。そして、バーチャルホーム表示部は、バーチャルホーム作成部が生成したバーチャル画面の画面情報に基づいて、バーチャル画面を表示する。
【０００８】
また、特許文献３「ファイル管理装置、ファイル管理方法及びプログラム」における、ファイル管理部は、最近使用フォルダ表示部、フォルダ選択部、最近使用ファイル表示部、ファイル表示部、アクセス対象ファイル選択部、ファイル取得部、最近使用フォルダ情報記憶部および最近使用ファイル情報記憶部を備えるものである。フォルダを指定して、指定したフォルダの中から所望のファイルを選択して開く場合と、最近使用したファイル群の中から所望のファイルを選択して開く場合とにおいて、オペレータは同じ操作により所望のファイルを開くことができる。
【先行技術文献】
【特許文献】
【０００９】
【特許文献１】特開２００６−１１６０６号公報
【特許文献２】特開２００７−１２２４４３号公報
【特許文献３】特開２００８−１４０２９１号公報
【発明の概要】
【発明が解決しようとする課題】
【００１０】
しかしながら、上記特許文献１から３までにおいては、ファイル情報管理部が１箇所にまとめられており、例えば選択していたＵＳＢメモリ等が情報処理装置から抜かれていた場合には何も選択・表示することができない。また、上記のように、ＵＳＢハブ等を利用して、複数のＵＳＢメモリ等を同時に挿すことが可能な構成において、複数のＵＳＢデバイスに跨ったフォルダ選択をサポートすることができない。
【００１１】
本発明は、所望のファイル・フォルダからいつでもＵＳＢアプリ等を開始できるようにするコンテンツ管理技術を提供することにある。また、ＵＳＢハブ等を利用して、複数のＵＳＢメモリ等を同時に挿すことが可能な構成において、複数のＵＳＢデバイスに跨ったフォルダ選択をサポートすることを目的とする。
【課題を解決するための手段】
【００１２】
本発明の一観点によれば、記録媒体を備える複数のデバイスと、前記複数のデバイスと接続され前記記憶媒体に格納されているコンテンツのファイル又はフォルダを参照可能な情報処理装置と、を有するシステムであって、前記複数のデバイスのそれぞれには、デバイス毎に格納されている前記コンテンツのファイル又はフォルダのＩＤと、当該コンテンツのファイル又はフォルダへのパス情報と、当該コンテンツのファイル又はフォルダの選択優先度と、を有するフォルダ情報管理情報が格納されており、前記情報処理装置は、前記複数のデバイスを識別する識別子と、前記フォルダ情報管理ファイル又はフォルダへのパス情報と、デバイスの選択優先度と、を有するデバイス選択情報管理情報が格納される記憶部と、前記デバイス選択情報管理ファイルと、前記フォルダ情報管理ファイルに対して情報の登録及び参照処理を行うフォルダ情報処理部と、が設けられていることを特徴とするコンテンツ管理システムが提供される。
【００１３】
前記フォルダ処理部は、前記コンテンツのアプリケーション終了操作が検出されると、前記デバイス選択情報管理情報を参照し、最後に参照していたデバイスにおけるデバイス優先度“１”を与え、他のデバイスのデバイス優先度を順次１ずつ下げ、最後に選択していたデバイスの前記フォルダ情報管理情報を参照し、最後に選択していたファイル・フォルダに優先度“１”を与え、他のファイル・フォルダの優先度を順次１ずつ下げる処理を行うことが好ましい。
【００１４】
このように、ＵＳＢアプリを終了するとき、最後に参照していたＵＳＢメモリデバイスの選択情報（優先度）をＴＶ側のデバイス選択情報管理ファイルに記録するとともに、フォルダ情報（優先度）を各ＵＳＢメモリデバイス内のフォルダ情報管理ファイルに記録する。このような処理により、ＴＶ側とＵＳＢデバイス側において、最新の優先度に関する情報を保持させることができる。尚、優先度の代わりに、ユーザー選択フラグを付しても良い。いずれか一方、両方を保持させても良く、両方を保持する場合には、いずれを優先させるかを設定しておくと良い。
【００１５】
前記フォルダ処理部は、前記コンテンツのアプリケーションの再開操作が検出されると、前記デバイス選択情報管理情報を参照し、デバイス優先度“１”のデバイスの前記フォルダ情報管理情報を参照し、最後に選択していたファイル・フォルダの優先度“１”のファイル・フォルダに優先的にアクセスする処理を行うものである。
【００１６】
また、前記フォルダ処理部は、前記コンテンツのアプリケーション終了操作が検出されると、前記デバイス選択情報管理情報を参照し、最後に参照していたデバイスに第１の優先フラグを付し、前記最後に選択していたデバイスの前記フォルダ情報管理情報を参照し、前記最後に選択していたファイル・フォルダに第２の優先フラグを付す処理を行うものである。
【００１７】
また、前記フォルダ処理部は、前記コンテンツのアプリケーションの再開操作が検出されると、前記デバイス選択情報管理情報を参照し、前記第１の優先フラグの付されたデバイスの前記フォルダ情報管理情報を参照し、前記第２の優先フラグが付されたファイル・フォルダに優先的にアクセスする処理を行うことが好ましい。
【００１８】
上記記録媒体において、前記コンテンツは、ファイル又はフォルダのツリー構造を有しているものである。
【００１９】
また、本発明は、記録媒体を備える複数のデバイスと、前記複数のデバイスと接続され前記記憶媒体に格納されているコンテンツのファイル又はフォルダを参照可能な情報処理装置と、を有するシステムであって、前記複数のデバイスのそれぞれには、デバイス毎に格納されている前記コンテンツのファイル又はフォルダのＩＤと、当該コンテンツのファイル又はフォルダへのパス情報と、当該コンテンツのファイル又はフォルダの選択優先度と、を有するフォルダ情報管理情報が格納されているコンテンツ管理システムにおける情報処理装置であって、前記複数のデバイスを識別する識別子と、前記フォルダ情報管理ファイル又はフォルダへのパス情報と、デバイスの選択優先度と、を有するデバイス選択情報管理情報が格納される記憶部と、前記デバイス選択情報管理ファイルと、前記フォルダ情報管理ファイルに対して情報の登録及び参照処理を行うフォルダ情報処理部と、が設けられていることを特徴とする情報処理装置である。
【００２０】
また、記録媒体を備える複数のデバイスと、前記複数のデバイスと接続され前記記憶媒体に格納されているコンテンツのファイル又はフォルダを参照可能な情報処理装置と、を有するシステムであって、前記複数のデバイスのそれぞれには、デバイス毎に格納されている前記コンテンツのファイル又はフォルダのＩＤと、当該コンテンツのファイル又はフォルダへのパス情報と、当該コンテンツのファイル又はフォルダの選択優先度と、を有するフォルダ情報管理情報が格納されていることを特徴とするデバイスである。
【００２１】
本発明の他の観点によれば、記録媒体を備える複数のデバイスと、前記複数のデバイスと接続され前記記憶媒体に格納されているコンテンツのファイル又はフォルダを参照可能な情報処理装置と、を有するシステムにおけるコンテンツ管理方法であって、前記複数のデバイスのそれぞれには、デバイス毎に格納されている前記コンテンツのファイル又はフォルダのＩＤと、当該コンテンツのファイル又はフォルダへのパス情報と、当該コンテンツのファイル又はフォルダの選択優先度と、を有するフォルダ情報管理情報が格納されており、前記情報処理装置は、前記複数のデバイスを識別する識別子と、前記フォルダ情報管理ファイル又はフォルダへのパス情報と、デバイスの選択優先度と、を有するデバイス選択情報管理情報が格納される記憶部と、前記デバイス選択情報管理ファイルと、前記フォルダ情報管理ファイルに対して情報の登録及び参照処理を行うフォルダ情報処理部と、が設けられおり、前記コンテンツのアプリケーション終了操作が検出されると、前記デバイス選択情報管理情報を参照し、最後に参照していたデバイスにおけるデバイス優先度“１”を与え、他のデバイスのデバイス優先度を順次１ずつ下げ、最後に選択していたデバイスの前記フォルダ情報管理情報を参照し、最後に選択していたファイル・フォルダに優先度“１”を与え、他のファイル・フォルダの優先度を順次１ずつ下げる処理を行い、前記コンテンツのアプリケーションの再開操作が検出されると、前記デバイス選択情報管理情報を参照し、デバイス優先度“１”のデバイスの前記フォルダ情報管理情報を参照し、最後に選択していたファイル・フォルダの優先度“１”のファイル・フォルダに優先的にアクセスする処理を行うことを特徴とするコンテンツ管理方法が提供される。
【００２２】
また、記録媒体を備える複数のデバイスと、前記複数のデバイスと接続され前記記憶媒体に格納されているコンテンツのファイル又はフォルダを参照可能な情報処理装置と、を有するシステムにおけるコンテンツ管理方法であって、前記複数のデバイスのそれぞれには、デバイス毎に格納されている前記コンテンツのファイル又はフォルダのＩＤと、当該コンテンツのファイル又はフォルダへのパス情報と、当該コンテンツのファイル又はフォルダの選択優先度と、を有するフォルダ情報管理情報が格納されており、前記情報処理装置は、前記複数のデバイスを識別する識別子と、前記フォルダ情報管理ファイル又はフォルダへのパス情報と、デバイスの選択優先度と、を有するデバイス選択情報管理情報が格納される記憶部と、前記デバイス選択情報管理ファイルと、前記フォルダ情報管理ファイルに対して情報の登録及び参照処理を行うフォルダ情報処理部と、が設けられおり、
前記コンテンツのアプリケーション終了操作が検出されると、前記デバイス選択情報管理情報を参照し、最後に参照していたデバイスに第１の優先フラグを付し、前記最後に選択していたデバイスの前記フォルダ情報管理情報を参照し、前記最後に選択していたファイル・フォルダに第２の優先フラグを付し、前記コンテンツのアプリケーションの再開操作が検出されると、前記デバイス選択情報管理情報を参照し、前記第１の優先フラグの付されたデバイスの前記フォルダ情報管理情報を参照し、前記第２の優先フラグが付されたファイル・フォルダに優先的にアクセスし、前記コンテンツのアプリケーションの再開操作が検出されると、前記デバイス選択情報管理情報を参照し、デバイス優先度“１”のデバイスの前記フォルダ情報管理情報を参照し、最後に選択していたファイル・フォルダの優先度“１”のファイル・フォルダに優先的にアクセスする処理を行うことを特徴とするコンテンツ管理方法が提供される。
【００２３】
本発明は、上記に記載のコンテンツ管理方法をコンピュータに実行させるためのプログラムであっても良く、当該プログラムを記録するコンピュータ読み取り可能な記録媒体であっても良い。当該プログラムは、インターネットなどの伝送媒体によって取得される物であっても良い。
【発明の効果】
【００２４】
本発明によれば、所望のファイル・フォルダからいつでもＵＳＢアプリ等を開始させることができるため、何度もフォルダを選択していくという手間が省け、選択操作が簡単になる。この際、ＵＳＢハブ等を利用して、複数のＵＳＢメモリ等を同時に挿すことが可能な構成において、複数のＵＳＢデバイスに跨ったフォルダ選択をサポートすることができる。
【図面の簡単な説明】
【００２５】
【図１】情報処理装置とＵＳＢメモリとを含む全体の外観図である。
【図２】全体のシステム構成例を示す図である。
【図３】ＴＶ機能付き情報処理装置側で保持する「デバイス選択情報管理ファイル」の一構成例を示す図である。
【図４】各ＵＳＢメモリ等のデバイス内部で保持する「フォルダ情報管理ファイル」の一構成例を示す図である。
【図５】コンテンツデータ管理処理の流れを示す図である。
【図６】最後に選択していたファイル・フォルダを選択する処理の流れを示す図である。
【図７】ユーザーがマークをつけておいたファイル・フォルダを選択する処理の流れを示す図である。
【発明を実施するための形態】
【００２６】
本明細書において、情報処理装置とは、ＵＳＢメモリ等に格納されているコンテンツに基づいて、当該コンテンツをディスプレイに表示させたり、スピーカから音声出力させたりする、テレビジョン受信装置、デジタルカメラ、携帯電話、ミュージックプレーヤ等を指し、特に、機能や用途を限定するものではない。
【００２７】
図１は、本発明の一実施の形態によるコンテンツ管理技術を用いた情報処理システムの一例を示す外観構成例を示す図である。図１に示すように、本実施の形態によるコンテンツ管理技術を用いた情報処理システムは、図では携帯型端末として例示されている。図１に示す情報処理装置Ａは、筐体に設け、コンテンツの一例である画像Ｐ１が表示されている表示部１と、電源スイッチ１１と、操作部（方向キーと決定キー）１５と、アンテナ１７と、ＵＳＢメモリ等を挿入する外部インターフェイス部（ＵＳＢスロット）２１と、が設けられている。ここでは、以下において、情報処理装置をテレビジョン受信装置（ＴＶ）を例に説明するためのテレビジョン受信装置（ＴＶ（受像機））と称する。
【００２８】
一方、ＵＳＢメモリＢは、本体部５１と、ＴＶ（受像機）側の外部インターフェイス部（ＵＳＢスロット）２１に挿入するインターフェイス部５３と、不揮発性メモリ（半導体、ＨＤＤのいずれでも良い）５５と、を有している。
【００２９】
図２は、ＴＶ（受像機）Ａ側と複数のデバイス（ＵＳＢメモリ等）Ｂとの内部構成例を示す図である。図２に示すＴＶ（受像機）Ａには、表示部１と、メモリ３と、制御部（ＣＰＵ）５と、外部インターフェイス部２１と、が設けられている。メモリ３にはデバイス選択情報管理ファイル３ａが、制御部（ＣＰＵ）５にはフォルダ情報処理部（管理部）５ａが設けられている。また、デバイス（ＵＳＢメモリ等）Ｂは、符号５１−１から５１−Ｎ（Ｎは２以上の整数）からなる複数のデバイスがハブなどにより同時に複数接続されており、それぞれが、インターフェイス部５３−１からＮと、メモリ内のフォルダ情報管理ファイル５５−１からＮと、を有している。デバイス（ＵＳＢメモリ等）５１−１から５１−Ｎまでは、ＴＶ受像機Ａの外部インターフェイスにハブ５４を介して全てが接続されているが、いずれかの接続が解除されても良い。デバイス選択情報管理ファイル３ａとフォルダ情報管理ファイル５５−１からＮまでは、フォルダ情報処理部５ａにより情報のやり取りを行うことができるようになっている。もちろん、デバイス１からＮまでは、異なる種類のデバイス、例えばデバイス１がＵＳＢメモリ、デバイス２がカード型のメモリ、デバイス３がＵＳＢ接続されるデジタルカメラなどであっても良い。
【００３０】
図３は、ＴＶ側で保持するデバイス選択情報管理ファイル３ａの一例を示す図である。図３に示すように、デバイス選択情報管理ファイル３ａは、ＵＳＢメモリ１、２、３、…、など、ＴＶ側Ａに現在接続されているデバイス（ここでは、デバイス１〜４まで）について、デバイス名１０１と、各デバイス内部で、「フォルダ情報管理ファイル」がどこに置かれているか（アドレス）を管理するフォルダ管理情報ファイルへのパス（ＵＲＬなど）１０３と、例えばリモコン装置のカラーキーを押下する等のユーザー操作により（この操作がマーク等を付す操作であることが予め設定されている。）マーク等を付すことで識別したファイル又はフォルダが含まれるデバイスであることを示すユーザー選択フラグ１０５と、デバイス選択時にどのデバイスを優先して選択するかを示すデバイス選択優先度１０７と、を含んでいる。図３において数字の少ないデバイス選択優先度１０７ほど、そのデバイスの優先度が高いことを示す。このようなテーブルにより、複数のデバイスがＴＶに接続されている場合に、どのデバイスが優先されるかを管理することができる。
【００３１】
図４は、デバイス１〜４までのうちのいずれかのデバイス内部でそれぞれ保持される「フォルダ情報管理ファイル」５５−１〜Ｎの一構成例を示す図である。図４に示すように、各デバイス１からＮの「フォルダ情報管理ファイル」５５−１〜Ｎは、音楽ファイルや写真ファイル等のファイル、もしくはファイルを格納している、フォルダ名ファイル・フォルダ名１１１と、各ファイル・フォルダがどこに置かれているかをＵＲＬなどにより管理するファイル・フォルダへのパス１１３と、ユーザーがカラーキーを押下する等してマークしたファイル・フォルダであることを示す、ユーザー選択フラグ１１５と、ファイル・フォルダで、どれを優先して選択するかを示すファイル・フォルダ選択優先度１１７と、を有している。ファイル・フォルダ選択優先度１１７も、数字の小さいものほど選択に関する優先度が高いことを示している。
【００３２】
尚、ファイルやフォルダは、例えばツリー構造によりルートからリーフに枝分かれした構成となっているのが一般的である。
【００３３】
次に、本実施の形態によるフォルダ情報処理部における処理の流れについて説明する。図５は、ＵＳＢアプリを終了する際の処理の流れを示すフローチャート図である。図５に示すように、まず、処理を開始し（Ｓｔａｒｔ：ステップＳ１）、ステップＳ２で、アプリ終了操作が検出されると（ＹＥＳ）、ステップＳ３において、図３に示すデバイス選択情報管理ファイルに参照し、ステップＳ４において、例えばデバイス２が最後に参照されていれば、その最後に参照していたデバイスにおけるデバイス優先度“１”を与え、他のデバイスのデバイス優先度を順次１ずつ下げる。
【００３４】
次いで、ステップＳ５において、最後に選択していたデバイス２のフォルダ情報管理ファイルを参照し、ステップＳ６において、最後に選択していたファイル・フォルダに優先度“１”を与え、他のファイル・フォルダの優先度を順次１ずつ下げる。最後に、ステップＳ７で処理を終了する（ｅｎｄ）。
【００３５】
このように、ＵＳＢアプリを終了するとき、最後に参照していたＵＳＢメモリデバイスの選択情報（優先度）をＴＶ側のデバイス選択情報管理ファイル３ａに記録するとともに、フォルダ情報（優先度）を各ＵＳＢメモリデバイス内のフォルダ情報管理ファイルに記録する。このような処理により、ＴＶ側とＵＳＢデバイス側において、最新の優先度に関する情報を保持させることができる。尚、優先度の代わりに、図３では、ユーザー選択フラグ１０５を付し、図４では、ユーザー選択フラグ１１５を付しても良い。いずれか一方、両方を保持させても良く、両方を保持する場合には、いずれを優先させるかを設定しておくと良い。
【００３６】
次に、ＵＳＢアプリを起動させた際における、ファイル・フォルダの選択処理について説明を行う。図６は、最後に選択していた、ファイル・フォルダを優先して選択する第１の処理の流れを示すフローチャート図である。図６に示すように、ステップＳ１１において、図２に示す状態でＵＳＢアプリを起動させると、ステップＳ１２において、デバイス選択情報管理ファイルのデバイス選択優先度１０７を参照する。ステップＳ１３において、デバイス選択優先度が最も高いデバイス、すなわち、図３ではデバイス２が選択される。このデバイス２は、最後に参照されていたデバイスである。次いで、ステップＳ１４において、選択したデバイス２の、フォルダ情報管理ファイル（図４）のパス１１３を参照する。ステップＳ１５において、フォルダ管理情報ファイル（図４）のファイル・フォルダ優先度が最も高いファイル・フォルダを選択し、ステップＳ１６において、ステップＳ１５で選択したステップＳ１７において処理を終了する（ｅｎｄ）。上記の処理により、最後に選択していたファイル・フォルダを選択することができる。尚、起動時までに優先度１のデバイスが外されていた場合には、優先度２のデバイスが選択される。また、起動時までに優先度１のファイル・フォルダが消去される等して実行・参照不可能な状態になる場合は、優先度２のファイル・フォルダの処理が実行される。
【００３７】
次に、ＵＳＢアプリを起動させた際における、ファイル・フォルダの選択処理について説明を行う。図７は、最後に選択していた、ファイル・フォルダを優先して選択する第２の処理の流れを示すフローチャート図である。このケースは、図６の場合と異なり、ユーザー選択フラグを利用する例である。図７に示すように、まず、ステップＳ２１において、ＵＳＢアプリが起動するなどにより処理が開始すると（Ｓｔａｒｔ）、ステップＳ２２において、デバイス選択情報管理ファイルのユーザー選択フラグを参照する。ステップＳ２３において、ユーザー選択フラグの付いているデバイスを選択する（図３では、デバイス４）。ステップＳ２４において、選択したデバイスのフォルダ管理情報ファイルへのパス１０３を参照する。ステップＳ２５において、ステップＳ２３において選択したデバイスのフォルダ管理情報を参照し、ステップＳ２６において、フォルダ管理情報ファイルのユーザー選択フラグの付いているファイル・フォルダを選択する。ステップＳ２７において、ステップＳ２５で選択したファイル・フォルダの処理を実行し、ステップＳ２８で処理を終了する（ｅｎｄ）。上記の処理により、最後に選択していたファイル・フォルダを選択することができる。ユーザー選択フラグが付されていた場合には、優先度より優先させるようにしても良いし、ユーザー選択フラグがふされていない場合には、優先度に基づいて選択するようにすれば良い。上記ファイル・フォルダを選択することにより、最後に参照していたファイル・フォルダから次の処理を開始することができる。
【００３８】
以上に説明したように、本実施の形態によるコンテンツ管理技術を用いると、ＴＶ(受像機)側に、ＵＳＢメモリ等のデバイス選択情報を管理するファイルを設け、また、各デバイスにユーザーのフォルダ選択情報、最後に参照していたフォルダ情報等を管理するファイルを設け、さらにそれらのファイルに対して情報を記録したり、情報取得したりするフォルダ情報処理部を設けることで、ハブを介した複数のＵＳＢメモリに跨ってフォルダ選択が可能となる。
【００３９】
また、ユーザーが特定の操作を行う場合に、例えば対象となるＵＳＢメモリが抜かれていたとしても、ＴＶ側のＵＳＢメモリ管理用ファイルより、次に優先されるＵＳＢメモリを選択することができるため、ユーザーに対しては、次に優先されるＵＳＢメモリの特定のフォルダ選択状態を代替として提供することができる。
【００４０】
また、ＵＳＢアプリに入ったときに、ユーザーの所望のフォルダからＵＳＢアプリが開始されるため、何度もフォルダを選択していくという手間が省け、選択操作が簡単になる。
【００４１】
さらに、ユーザーが他のフォルダを選択していたとしても、または、ＴＶや他の外部入力を視聴していたとしても、例えばリモコンのカラーキーを押下するなどするだけでユーザーが以前にマークしておいたお好みのＵＳＢのフォルダに直接ジャンプさせるようなことも可能であり、コンテンツの選択のための操作が簡単になるという利点がある。
【００４２】
図１、図２の各構成の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【００４３】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００４４】
以上、この発明の実施の形態について図面を参照して詳述してきたが、具体的な構成はこの実施の形態に限られるものではなく、この発明の要旨を逸脱しない範囲の設計変更等された発明も含まれる。例えば、上記では、コンテンツ通知装置の例として、デジタル放送受信装置について説明したが、その他のコンテンツ通知装置を用いても同様である。ＶＯＤコンテンツを表示する機能を有する装置でも良い。
【産業上の利用可能性】
【００４５】
本発明は、コンテンツ管理技術に利用可能である。
【符号の説明】
【００４６】
Ａ…情報処理装置、Ｐ１…画像、１…表示部、３…メモリ、３ａ…デバイス選択情報管理ファイル、５…制御部、５ａ…フォルダ情報処理部、１１…電源スイッチ、１５…操作部（方向キーと決定キー）、１７…アンテナ、２１…外部インターフェイス部（ＵＳＢスロット）、Ｂ…ＵＳＢメモリ、５１…本体部、５３…インターフェイス部、５５…不揮発性メモリ、５５―１〜Ｎ…フィルダ情報管理ファイル。
【図１】
2011081523.tif 000003
【図２】
2011081523.tif 000004
【図３】
2011081523.tif 000005
【図４】
2011081523.tif 000006
【図５】
2011081523.tif 000007
【図６】
2011081523.tif 000008
【図７】
2011081523.tif 000009